(57)【要約】【課題】水中作業に適し、夜間、或いは暗闇での作業でも、工具の所在が分かり易い工具の柄の構造を提供する。【解決手段】  柄本体１を含み、該柄本体１は一体成型で、外部表面には蛍光塗料５０を塗布し、頂部１０は実心体で、頂部１０上方にはステンレス製のドライバー部４０を嵌設し、底部３０には貫通ネジ孔３１を形成し、ネジ蓋３２により螺固密閉し、該本体の柄身２０内部は密閉し気室とし、こうして該工具柄は水中、夜間或いは真っ暗な環境でも見つけ易くなり、遺失の恐れを払拭することができる。【選択図】  図１
0003107574.tif 000002
【実用新案登録請求の範囲】
【請求項１】
一体成型の柄本体を含み、該柄本体の頂部には実心部を設置し、該実心部上には嵌槽を設置し、該嵌槽上にはドライバー部を嵌設し、該頂部下方に位置する柄身内部には密閉された気室を設置することを特徴とする工具の柄の構造。
【請求項２】
前記ドライバー部の嵌設端は“Ｌ”状とすることを特徴とする請求項１記載の工具の柄の構造。
【請求項３】
前記柄本体の外部表面には蛍光塗料を塗布することを特徴とする請求項１記載の工具の柄の構造。
【請求項４】
前記ドライバー部はステンレス材料により製造することを特徴とする請求項１記載の工具の柄の構造。
【請求項５】
前記柄本体の底部には外部より内部へと貫通するネジ孔を設置し、該ネジ孔にはネジ蓋を設置し、螺固密閉することを特徴とする請求項１記載の工具の柄の構造。
【請求項６】
前記柄本体は気室以外のその他部位は実心体であることを特徴とする請求項１記載の工具の柄の構造。
【考案の詳細な説明】
【技術分野】
【０００１】
本考案は一種の工具の柄の構造に関する。特に一種のドライバーに応用可能な工具の柄の構造に係る。
【背景技術】
【０００２】
公知のドライバー柄には実心のドライバー柄と中空を具えたドライバー柄がある。
該実心のドライバーは一般の単純機能のドライバーで、該中空を具えたドライバーは多機能型のドライバーである。該中空を具えたドライバーはその付加機能装置を設置するため中空を具える。
上記２種のドライバーはともに水中においては沈む。例えば、該実心ドライバーは水に入れると一直線に水底へと沈んでいく。該多機能複合式ドライバーは該中空に水がしみ込む恐れがある他、該空間内に収納する物質が金属であれば水に触れ酸化してしまう。
これら性質は、該公知ドライバーを用い、水中、湖上、海上作業者が海上で船舶を修理する、或いは潜水し器機を修理する時には大きな問題となる。さらにこれら作業地点は特殊であるため、工具の安全性は非常に重要である。また不注意で遺失しても、付近で同様の工具を手に入れられる可能性は低く、作業を続けることができなくなってしまうが、これら公知の工具は水に弱く、水に沈んでしまえば取り戻すことは困難で、さらに水に触れれば損壊するため、水中作業には適していない。
さらに、水中において作業を行う時、或いは夜間の作業、或いは暗闇での作業では、工具を落としてしまえば、暗闇で、或いは水中で、該ドライバーを見つけられる可能性は低い。
【特許文献１】特開２００１−２７７１４２号公報
【考案の開示】
【考案が解決しようとする課題】
【０００３】
公知構造には以下の欠点があった。
すなわち公知のドライバーは水に沈む構造であるため、水中作業時に不注意で遺失しても取り戻すことは困難で、さらに中空の柄を具えたドライバーは該中空部に浸水する恐れがある他、該中空内に収納する装置が水に触れ酸化してしまうため、水中作業には適していない。さらに夜間、或いは暗闇での作業でも、工具の所在が分かりにくく非常に不便である。
本考案は上記構造の問題点を解決した工具の柄の構造を提供するものである。
【課題を解決するための手段】
【０００４】
上記課題を解決するため、本考案は下記の工具の柄の構造を提供する。
請求項１に記載するように、一体成型の柄本体を含み、該柄本体の頂部には実心部を設置し、該実心部上には嵌槽を設置し、該嵌槽上にはドライバー部を嵌設し、該頂部下方に位置する柄身内部には密閉された気室を設置することを特徴とする。
請求項２に記載するように、前記ドライバー部の嵌設端は“Ｌ”状とすることが好ましい。
請求項３に記載するように、前記柄本体の外部表面には蛍光塗料を塗布することが好ましい。
請求項４に記載するように、前記ドライバー部はステンレス材料により製造することが好ましい。
請求項５に記載するように、前記柄本体の底部には外部より内部へと貫通するネジ孔を設置し、該ネジ孔にはネジ蓋を設置し、螺固密閉することが好ましい。
請求項６に記載するように、前記柄本体は気室以外のその他部位は実心体であることが好ましい。
【０００５】
本考案の工具の柄の構造によれば、工具が水に落ちても沈むことがないため、水中作業者は水中に落としてしまった工具を取り戻すために苦労する必要がなくなり、暗闇でも見つけ易いため、工具の所在を確認でき遺失せず、水に触れ酸化することを防止し、柄のトルクを強化することができるため、その使用寿命を延長することができ、
すなわちその柄本体は一体成型で頂部、柄身、底部に分かれ、該柄身内部には完全に密閉された気室を設置し、気室以外の他の部分は実心体で、これにより工具柄は水上に浮き、水中、湖上或いは海上作業において、該工具が水中に落ちても簡単に拾うことができ、また開口部からの浸水を恐れる必要もなく、
またその柄本体底部には外から貫通した気室のネジ孔を具え、該ネジ孔はネジ蓋により螺固され、気室を密閉すると共に、使用者は陸上での作業時に、該気室に砂などを充填し、握り心地を良くすることができ、
さらにその柄本体外部には蛍光塗料を塗布し、作業者は夜間或いは暗闇の作業環境においても、簡単に工具の所在を確認することができ、
加えて、その柄本体頂部にはドライバー部を嵌設し、該ドライバー部の嵌設端は“Ｌ”型とし、該ドライバー部と該柄本体との接触面を増加し、該工具のトルクを強化し、その使用寿命を延長可能であることを特徴とする工具の柄の構造である。
【考案の効果】
【０００６】
上記のように、本考案は工具の一体成型の柄本体中に完全に密閉された気室を設置し、その他部位は実心状とすることにより、特殊環境での作業者に最良の工具を提供することができる。さらにドライバー部はステンレス製であるため、酸化の恐れがない。またドライバー部の嵌設端は“Ｌ”状とし、工具トルクを強化することができる。また柄本体外部表面には蛍光塗料を塗布し、暗闇でも工具の所在をはっきりと確認できる。
【考案を実施するための最良の形態】
【０００７】
本考案は図１、２に示すように、主に柄本体１を含む。
該柄本体１は頂部１０、柄身２０、底部３０に分けられ、該柄本体１は一体成型の本体である。該頂部１０には実心部１１を具え、該実心部１１は嵌槽１１１を設置し、該嵌槽１１１はドライバー部４０を嵌設する。該ドライバー部４０はステンレスにより製造し、酸化を防止することができる。該柄身２０は密封された気室２１を設置し、工具に浮力を持たせることができる。
次に第３図に示すように、該気室２１の底部３０にはネジ孔３１を設置し、ネジ蓋３２により該気室２１を螺合密閉する。
該気室２１の設置により、該柄本体１の他部位はすべて実心体となる。これにより該柄本体１の気室２１全体は密封状態となり、水中において高い水圧がかかっても、浸水の恐れはなくなるため、作業中に不注意で工具を水中に落としても（図４参照）、該工具は水面上に浮くため簡単に拾い上げることができる。
しかも、該ドライバー部４０はステンレス製であるため、該ドライバー部４０は水に触れても酸化により損壊することはないため、使用寿命を延長することができる。
【０００８】
続いて図５に示すように、本考案は該ドライバー部４０の嵌設端４１を“Ｌ”型の端部とすることができる。これにより該ドライバー部４０と該柄本体１の固設位置の接触面積は拡大し、該工具が受止められるトルクも拡大する。こうして工具の使用サイクルを強化し、その使用寿命も延長することができる。
さらに図６に示すように、本考案は該柄本体１の外部表面に蛍光塗料５０を塗布することができる。該蛍光剤は夜間或いは暗闇において発光し、夜間作業者、或いは暗闇での作業者は真っ暗な空間においても工具の所在をはっきりと把握することができる。
また該柄本体１底部３０に設置するネジ孔３１とネジ蓋３２により、該工具を水中以外の場所で使用する時には、該気室２１に砂などを充填し、工具本体の重量を増加し、使い心地を良くすることができる。
【図面の簡単な説明】
【０００９】
【図１】本考案工具の柄の構造の外観透視図である。
【図２】本考案工具の柄の構造の側面剖面図である。
【図３】本考案工具の柄の構造の第２実施例図である。
【図４】本考案工具の柄の構造の実施状態図である。
【図５】本考案工具の柄の構造の第３実施例図である。
【図６】本考案工具の柄の構造の第４実施例図である。
【符号の説明】
【００１０】
１  柄本体
１０  頂部
１１  実心部
１１１  嵌槽
２０  柄身
２１  気室
３０  底部
３１  ネジ孔
３２  ネジ蓋
４０  ドライバー部
４１  嵌設端
５０  蛍光塗料
【図１】
0003107574.tif 000003
【図２】
0003107574.tif 000004
【図３】
0003107574.tif 000005
【図４】
0003107574.tif 000006
【図５】
0003107574.tif 000007
【図６】
0003107574.tif 000008